(57)【要約】 【課題】蛍光灯照明器具のソケット対から給電を受け光源素子を点灯させる照明装置において、元の蛍光灯では得られないような照明性能を得られるようにする。【解決手段】直管型蛍光灯を光源素子として用いる蛍光灯照明器具のソケットに接続され、該ソケットから給電を受ける端子を有する２つの口金部４００、４００と、口金部の端子を介して給電される交流電流を直流電流に変換する電源部と、電源部からの給電により点灯する光源素子などを塔載した回路基板２００、前記光源素子からの光線を反射、透過または拡散することにより所定の方向に照明光を照射する光学部材１００とを有し、光学部材１００は、口金部４００の一方から他方までが占める空間よりも前記照明光の照射方向に外れた位置に配置される。【選択図】図１
2013247001.tif 000002
【特許請求の範囲】
【請求項１】
直管型蛍光灯を光源素子として用いる蛍光灯照明器具のソケットに接続され前記ソケットから給電を受ける端子を有する２つの口金部と、
前記口金部の端子を介して給電される交流電流を直流電流に変換する電源部と、
前記電源部からの給電により点灯する光源素子と、
前記光源素子からの光線を反射、透過または拡散することにより所定の方向に照明光を照射する光学部材とを有し、
前記口金部の一方から他方までが占める空間よりも前記照明光の照射方向に外れた位置に前記光学部材が配置されることを特徴とする照明装置。
【請求項２】
請求項１に記載の照明装置において、前記光学部材の発光部位が、少なくとも前記口金部または前記口金部に接続されるソケット間の距離にほぼ等しいかそれよりも大きい長さを有することを特徴とする照明装置。
【請求項３】
請求項１または２に記載の照明装置において、前記光学部材の発光部位が、少なくとも前記蛍光灯照明器具に用いられる直管型蛍光灯よりも大きい幅を有することを特徴とする照明装置。
【請求項４】
請求項１〜３のいずれか１項に記載の照明装置において、前記光学部材は、反射特性を付与された第１の光学面と、第１の光学面にほぼ対向し、透過特性を付与された第２の光学面と、該光学部材の長手方向に渡り配設された前記光源素子を内部に収容するよう前記第１の光学面に形成された凹部を有し、前記光源の照射光の光度がほぼ最大となる照射方向が第１の光学面および第２の光学面の間の領域を向くよう前記凹部内に前記光源が配置された光学部材であることを特徴とする照明装置。
【発明の詳細な説明】
【技術分野】
【０００１】
本発明は照明装置、特に蛍光灯照明器具のソケット対から給電を受け光源素子を点灯させる照明装置に関するものである。
【背景技術】
【０００２】
近年、低消費電力で寿命が長いＬＥＤ照明が注目されており、既設の白熱灯や蛍光灯などの光源をＬＥＤ光源に置換するためのＬＥＤ照明装置が種々提案されている。
【０００３】
下記の特許文献１および特許文献２には、既設の蛍光灯照明器具に装着可能な蛍光灯型ＬＥＤ照明装置が開示されている。
【０００４】
ＬＥＤを点灯させるためには直流電源が必要であり、従来の天井照明などの器具と置き換えるためにはＡＣ／ＤＣ変換する電源部が必要となる。特に天井照明に多く使用されている直管型蛍光灯素子は、両端の口金で対応する間隔を有するソケット対に嵌合して取り付けられ、口金の端子対から給電を受けるようになっており、このため、この種の蛍光灯型ＬＥＤ照明装置では、最小限のコストで蛍光灯からＬＥＤ照明に置き換えるためには口金〜口金間のスペースにＡＣ／ＤＣ変換回路とＬＥＤが収まるような構成をとる。
【０００５】
特許文献１および特許文献２の構成においては、置換する直管型蛍光灯と同等のサイズの管体中にＬＥＤ、および商用交流電源をＬＥＤ点灯用の直流に変換するＡＣ／ＤＣ変換回路を塔載した回路基板を配置する構成になっている。
【先行技術文献】
【特許文献】
【０００６】
【特許文献１】実開平6-54103号公報
【特許文献２】特開2001-351402号公報
【発明の概要】
【発明が解決しようとする課題】
【０００７】
特許文献１および特許文献２のＬＥＤ照明装置では、発光部が置換する直管型蛍光灯と同等のサイズおよび形状の円筒状に構成されている。
【０００８】
直管型蛍光灯の発光部は、蛍光物質が管内に塗布されたガラス管であり、構成上、この発光部の大きさ（長さ）は給電ソケット対と接続されるその両端の口金の間隔を超えることはできず、特許文献１および特許文献２のようにＬＥＤ照明装置を直管型蛍光灯と同等のサイズおよび形状の円筒状に構成すると、同じ制約が課せられることになる。特許文献１および特許文献２のＬＥＤは、直管型蛍光灯をエミュレートする円筒形の管体中において、両端の口金ないしベースキャップより内側にＬＥＤが配列されており、元の蛍光灯よりも大きな発光部を得ることはできない。
【０００９】
しかしながら、ＬＥＤを光源に用いた照明装置の場合、導光部材などを介して発光部の大きさを調節することができるため、発光部の大きさは必ずしもＬＥＤやその点灯回路を配列する基板の大きさに依存しない利点があるのに対して、特許文献１および特許文献２の構成では、そのようなメリットを必ずしも生かしておらず、元の直管型蛍光灯に類似の照明特性を得ることはできても、ＬＥＤ照明に換えたからこそ得られる付加価値には乏しい面がある。
【００１０】
なお、以上の問題は、ＬＥＤに限らず、たとえばＣＣＦＬ（冷陰極線蛍光管）のような光源素子を用いて蛍光灯照明素子を置換する場合においても同様である。
【００１１】
本発明の課題は、上記の問題に鑑み、蛍光灯照明器具のソケット対から給電を受け光源素子を点灯させる照明装置において、元の蛍光灯では得られないような照明性能を得られるようにすることにある。
【課題を解決するための手段】
【００１２】
上記課題を解決するため、本発明においては、
直管型蛍光灯を光源素子として用いる蛍光灯照明器具のソケットに接続され前記ソケットから給電を受ける端子を有する２つの口金部と、
前記口金部の端子を介して給電される交流電流を直流電流に変換する電源部と、
前記電源部からの給電により点灯する光源素子と、
前記光源素子からの光線を反射、透過または拡散することにより所定の方向に照明光を照射する光学部材とを有し、
前記口金部の一方から他方までが占める空間よりも前記照明光の照射方向に外れた位置に前記光学部材が配置される構成を採用した。
【発明の効果】
【００１３】
上記構成によれば、蛍光灯照明器具のソケットに接続され前記ソケットから給電を受ける口金部〜口金部の間の空間よりも前記照明光の照射方向に外れた位置に前記光学部材が配置されるため、発光部の実質部位を構成する光学部材の大きさを前記ソケットや前記口金部の間の大きさに制約を受けることなく自由に決めることができ、たとえば、前記光学部材は、長さ方向および幅方向の両方に関して、置換すべき直管型蛍光灯の発光部よりも大きく構成することができ、たとえば器具の長手方向に直列的に多数配置された蛍光灯照明器具の蛍光灯素子に置換して用いるような用途では、隣接する発光部の光学部材を隙間なく配置することが可能になる、といった優れた効果がある。
【図面の簡単な説明】
【００１４】
【図１】本発明を採用した照明装置を上方から示した斜視図である。
【図２】本発明を採用した照明装置を側方から示した斜視図である。
【図３】本発明を採用した照明装置に用いられる光学部材の構造を示した説明図である。
【図４】従来の蛍光灯（ないし蛍光灯型ＬＥＤ照明器具）と、本発明を採用した照明装置とをそれぞれ直列に配置した状態で比較する説明図である。
【発明を実施するための形態】
【００１５】
以下、添付図面を参照して発明を実施するに適した実施例につき詳細に説明する。
【実施例】
【００１６】
図１および図２は本発明を採用した照明装置６００の構造を、また図３は同照明装置６００に用いられる光学部材の構造を示している。
【００１７】
図１、図２に示すように、本実施例の照明装置６００は、直管型蛍光灯を用いる蛍光灯照明器具のソケットを利用し、直管型蛍光灯が装着されていたスペースに装着できるよう構成されている。
【００１８】
このため、照明装置６００には、この種の蛍光灯照明器具に用いられる直管型蛍光灯と同等のサイズおよび端子形状を有する口金部４００、４００が設けられている。口金部４００、４００にはそれぞれ１対の端子４０１、４０１が設けられ、口金部４００、４００は置換を目的とする同等の直管型蛍光灯と同じ間隔で配置される。
【００１９】
照明装置６００の発光部の実質部位（たとえば後述の光学部材１００である）は、置換を目的とする同等の直管型蛍光灯の円筒状の発光部が本来占めるスペース、すなわち一方の口金部４００から他方の口金部４００までの部位が占める空間よりも発光部の照射方向（図１および図２の下方）に外れた位置に構成される。
【００２０】
このように置換を目的とする直管型蛍光灯の発光部よりも照明光の照射方向（図１および図２の下方）に外れた位置に照明装置６００の発光部の実質部位を配置する構成により、照明装置６００の発光部は、長手方向（図１および図２の左右の方向）、および幅方向の両方に関して、上述の従来の蛍光灯型ＬＥＤ照明装置などにおいて存在する、置換すべき直管型蛍光灯のサイズの制約を受けずに済むようになり、照明装置６００の発光部は、長さ方向および幅方向の両方に関して、置換すべき直管型蛍光灯の発光部よりも大きく構成することができる。
【００２１】
本実施例では、照明装置６００の発光部は、左右の光学部材１００、１００上に両端の口金部４００、４００、および光源素子としてのＬＥＤ（図１および図２では不図示）を配列した回路基板２００を装着することにより構成されている。
【００２２】
光学部材１００、１００（その構造は図３により後述する）は、回路基板２００上のＬＥＤの照射する光線を反射、透過または拡散する光学部材であり、本実施例では、製造の容易さや寸法精度などを考慮して左右１対の光学部材１００、１００を用いているが、このような分割構成は必須ではなく、場合によっては図１および図２の光学部材１００、１００は一体の１部材から構成してもよい。光学部材１００の下部には、主に面発光の均一性を高める目的で、平板状の乳白色アクリル板などから成る拡散板（不図示）を配置することもできる。
【００２３】
光学部材１００、１００は、その中央部において長手方向に渡って上方に突出して形成された壁状の保持部１０６、１０６を有し、この保持部１０６、１０６の中間には回路基板２００に配列されたＬＥＤを収容する溝状の凹部１０１が形成される（図２および後述の図３参照）。
【００２４】
左右の光学部材１００、１００は、中央部において、金属板などから成る接続金具１１１、１１１により保持部１０６、１０６を両側から挟持し、不図示のビス、ナットなどにより壁状の保持部１０６、１０６、あるいはさらに回路基板２００を共締めし、これらの部材が相互に固着され、照明装置６００全体の剛性が確保される。
【００２５】
また、左右の口金部４００、４００は、保持金具３００、３００により光学部材１００、１００の保持部１０６、１０６に対して固定される。
【００２６】
保持金具３００は、主に口金部４００を保持する概略コの字形状に構成された上部３０１と、上部３０１および装着された口金部４００を保持部１０６、１０６上の所定位置に位置決め固定すべく同様に概略コの字形状に構成された下部３０２から成る。保持金具３００の上部３０１と下部３０２は金属板などの材料の曲げ加工によって一体に構成されるか、または、それぞれ別体に構成され、溶接やビス止めなどの手法により相互に結合される。
【００２７】
図２に示すように、回路基板２００は、左右の光学部材１００、１００のほぼ全長に相当する長さを有し、光学部材１００、１００の上部中央に設けられた溝状の凹部１０１中に装着される。このため、回路基板２００は、光学部材１００、１００のほぼ全長に渡って光源のＬＥＤを配列することができる。
【００２８】
保持金具３００の下部３０２は、コの字型に回路基板２００の端部を囲み、その上部３０１との結合部位付近において、光学部材１００、１００の保持部１０６、１０６を両側から挟持し、不図示のビス、ナットなどにより壁状の保持部１０６、１０６、あるいはさらに回路基板２００を共締めすることによりこれらの部材を相互に固着する。
【００２９】
なお、照明装置６００の照射姿勢を調節したり、あるいは既存の蛍光灯照明器具への装着時の回転操作のため、端子４０１、４０１の回転位置を変更できるように口金部４００、４００を保持金具３００の上部３０１に対して回動可能に支持する構造（詳細不図示）を設けてもよい。
【００３０】
ここで、図３により図１および図２の照明装置６００に用いられている光学部材１００の構造を詳細に説明する。
【００３１】
図３（ａ）は組み立て前の光学部材１００を斜め上方から示している。図３（ｂ）は、回路基板２００を組み込んだ状態で光学部材１００の断面形状（中央より右側の部分のみ。左側は右側と同等のものとして図示省略）を示している。
【００３２】
光学部材１００は、透明アクリルなどの材料を射出成型、塑性加工（押出成型）、あるいは削り出しおよび研磨のような手法を用いて、たとえば曲面の組み合せで構成された全体としてはほぼ板状の形状を有し、その上面（１００１）の中央部に長手方向に溝状に形成された凹部１０１に、光源２０１（たとえばＬＥＤ）を両面実装した回路基板２００を収容する。
【００３３】
また、凹部１０１の両側には、上述の保持部１０６、１０６がその内壁面が凹部１０１の内壁面と面一となるように一体形成されている。保持部１０６、１０６は光学部材１００の全長に渡って設けることも可能であるが、本実施例では口金部４００、４００およびその保持金具３００、３００などの実装スペースにほぼ相当する両端の部位には形成されていない。
【００３４】
回路基板２００には、図１、図２の口金部４００の端子４０１から給電される商用交流電源をＬＥＤ点灯用の直流に変換するＡＣ／ＤＣ変換回路などや点灯制御用のスイッチ回路などを実装することができる。光源２０１は、回路基板２００の両面に光学部材１００の長手方向に渡り、凹部１０１の壁面を向くように数個〜数１０個配列される。
【００３５】
光学的に見ると、本実施例の光学部材１００は、上記の凹部１０１が形成された光学面１００１と、この面に対向する光学面１００２の２つの光学面を有している。
【００３６】
このうち、凹部１０１が形成された光学面１００１は、後述の発光面１００２に対向し、主に光反射特性が強くなるように構成する。以後、光学部材１００の面１００１は、便宜上、反射面１００１として言及する。また、第２の光学面である発光面１００２は、その機能から当然ながら、主に透過特性が強くなるように構成する。
【００３７】
ここで、光源２０１はたとえばＬＥＤのような点光源であり、本実施例では光源２０１は回路基板２００に平面実装されるＬＥＤデバイスであるものとするが、この光源（２０１）は必ずしもＬＥＤを意味するものではない。たとえば、本実施例において用いることができる光源（２０１）は、ＣＣＦＬなどのように発光部が（その断面においては）「点」に近いと考えて差しつかえない小さな体積（断面においては面積）の範囲に集中しており、その発光部から放射状に強い照明光を照射する光源デバイスであれば該当する。
【００３８】
また、平面実装ＬＥＤデバイスのような光源（２０１）の場合には、その主たる照射方向、すなわち、設計／仕様上、あるいは実測上、光源の照射光によって得られる光度がほぼ最大となる照射方向が決まっている場合が多く、そして、この方向（最大光度方向）は平面実装ＬＥＤの場合、基板実装状態ではデバイス中心を通り回路基板２００に垂直な方向となる場合が多い。
【００３９】
あるいは、設計／仕様上、最大光度が得られる照射方向が保証されていないか、発光部を中心に半球状（あるいは球状）に同一照明光強度の範囲が均一に分布するような理想的な光源特性に近い配光特性を有するような光源デバイスであっても、図示のように回路基板２００に平面実装した場合には、背面の回路基板２００の反射などの条件を考慮すると、便宜上、光源デバイスの最大光度が得られる「主たる照射方向」はデバイス中心を通り回路基板２００に垂直な方向にほぼ一致する、と考えてよい。
【００４０】
そして、本実施例では、光源２０１の実装状態において、その主たる照射方向、すなわち、光源２０１の最大光度が得られる照射方向が光学部材１００の第１の光学面１００１と第２の光学面１００２の間の領域を向くよう、光学部材１００が構成される。
【００４１】
すなわち、光源２０１を保持する保持部材としての回路基板２００は、図３（ｂ）に示すように溝状に形成された凹部１０１内に配置され、回路基板２００上には、たとえばほぼ等距離で光源２０１が回路基板２００の長手方向（図３（ｂ）では紙面に垂直な方向）に多数配列されており、各基板の光源２０１の最大光度が得られる照射方向（たとえば、上記の光源２０１、２０１…の中心を通り回路基板２００と垂直な方向：以下「主たる照射方向」として言及する）がそれぞれ凹部１０１の壁面を向くように回路基板２００が配置される。
【００４２】
本実施例の光学部材１００の発光面（１００２）は図３（ｂ）の下方に示した面１００２であり、上記のような光源配置によって光源２０１の主たる照射方向は反射面１００１と発光面１００２の中間の領域を向いており、光学部材１００の発光面１００２に対してはほぼ９０°の角度をなすものとなる。
【００４３】
上記のような光源配置によって、本実施例の光学部材１００は、全体としては光源２０１の照明光を拡散して発光面１００２から照射する。
【００４４】
図３（ｂ）に示すように、光学部材１００内部において、光源２０１を出射した光線は反射ｐ、全反射ｑ、透過ｒ、あるいは屈折（および透過）のような光学作用を生じ、最終的に発光面１００２から照射される。
【００４５】
図３（ｂ）では、代表的な光線の行跡を１つのみ、しかも光学部材１００の１断面のみに限定して示したが、光源２０１から出射した光線は凹部１０１の壁面から光学部材１００に入射してあらゆる方向に進み、各界面において複雑かつランダムな反射、全反射、透過、屈折（および透過）のような光学作用を生じるため、光学部材１００全体としてはいわゆる照明光の拡散作用を生じ、これにより発光面１００２からほぼ均一な面発光の照明光を照射することができる。
【００４６】
そして、本実施例では、光源２０１の主たる照射方向が発光面１００２とそれに対向する反射面１００１の間の領域に向くように光源２０１を配置している。あるいは、この光源２０１の主たる照射方向は、発光面１００２と平行である（ないしは発光面１００２の照射方向とは交差する）ということもできる。要するに、本実施例の特徴は、光学部材１００の中央の凹部１０１内に配置した光源２０１の主たる照射方向が発光面１００２の最終的な照射方向とは一致していない（あるいは交差している）、ともいえる。このような構成によると、近年の発光量の大きいＬＥＤのような光源であっても、各光源２０１、２０１…の近傍で眩しいグレアを生じたり、発光面１００２から光源が粒状に透けて見えるような不体裁を生じる可能性が低くなり、発光面１００２から均一で高品質な面発光の照明光を照射することができる。
【００４７】
なお、図３（ｂ）に示すように、光学部材１００の反射面１００１には、好ましくは発光面１００２への反射効率を向上させるため、前記のように反射特性が強くなるように構成する。このため反射面１００１には反射加工１０４を行なうことができる。
【００４８】
この反射加工１０４は、反射面１００１に対する塗装、反射面１００１に対する印刷、または反射面１００１に対する表面加工などにより行ない、これにより反射面１００１の反射特性を向上させる。
【００４９】
そしてこの反射加工１０４は、図３（ｂ）に符号１０４ａにより示すように、反射面１００１のみならず光学部材１００の側面にまで及ぶのが望ましく、これによって、光学部材１００中央に反射する光量を増やし、光学部材１００の端部で発光量が低下しがちになるのを防止することができる。
【００５０】
なお、この反射加工１０４は、必ずしも反射面１００１の全体に渡り施す必要はなく、むしろ光源２０１を収容する凹部１０１の近傍においては反射加工の無い部位１０５、１０５を形成する方が好ましい場合がある。また、凹部１０１の底面に反射加工１０４と同等の反射加工１０３（図３（ｂ）に図示）を施すことも考えられる。
【００５１】
これら反射面１００１の反射加工１０４の無い部位１０５（無反射加工部）光学部材１００の凹部１０１底部の反射加工１０３は、いずれも回路基板２００上に配列される光源２０１の近傍で眩しいグレアを生じたり、発光面１００２から光源が粒状に透けて見えるような現象を軽減するためのものである。
【００５２】
特に、凹部１０１底部の反射加工１０３は反射加工１０４と同等の塗装や表面加工によって形成することができる。この反射加工１０３が無く、たとえば凹部１０１の底部が透明な場合、光源２０１の照射光は凹部１０１の底部付近から下方に照射される（あるいは漏光する）ことになるが、凹部１０１底部の反射加工１０３を設けて光源２０１の照射光を上方に反射することにより発光面１００２の下部方向に向かうのを防ぐことができる。これにより、光源２０１の近傍で眩しいグレアを生じたり、発光面１００２から光源が粒状に透けて見えるような現象を軽減することができる。
【００５３】
なお、光学部材１００内部で拡散することによって光源２０１の照明光は光学部材１００の凹部１０１の下部領域にも廻り込むため、反射加工１０３によって凹部１０１の底部を（いわば）遮光してしまっても、この部位の発光量はそれほど小さくはならない。また、反射加工１０３は、光学部材１００の下部に拡散板を配置する場合に、発光面１００２の中心部の光源の配置領域の下の光量分布を均一化するのに役立つ。
【００５４】
また、反射面１００１の反射加工１０４の無い部位１０５（無反射加工部）を溝状の凹部１０１の両側に併設するのも同じ理由で、光源２０１に近接した部位においては反射面１００１の反射特性を小さくして、発光面１００２の下部方向に向かう光量を減少させる。これにより、光源２０１の照射光が光学部材１００の凹部１０１近傍で大きくなりすぎるのを防ぐことができ、各光源２０１の近傍で眩しいグレアを生じたり、発光面１００２から光源が粒状に透けて見えるような現象を軽減することができる。
【００５５】
なお、本実施例では、図１〜図３に示したように光学部材１００の光学面１００１、１００２を曲面から構成しているが、光学部材１００の断面形状は任意であり、当業者が任意に選択することができる。たとえば、より簡略な構成においては、光学部材１００の全体を平板形状としたり、あるいは上述の光学面１００１、１００２をより複雑な曲率の曲面の組み合せから構成することも考えられる。
【００５６】
以上のように、本実施例の照明装置６００は、置換を目的とする直管型蛍光灯の発光部に相当する部位、すなわち両端の口金部４００〜４００の中間部が占める空間よりも照明光の照射方向（図１および図２の下方）に外れた位置に照明装置６００の発光部の実質部位を配置するよう構成されているので、照明装置６００の発光部は、長手方向（図１および図２の左右の方向）、および幅方向の両方に関して、上述の従来例の蛍光灯型ＬＥＤ照明装置などにおいて存在する、置換すべき直管型蛍光灯のサイズの制約を受けずに済むようになり、照明装置６００の発光部は、長さ方向および幅方向の両方に関して、置換すべき直管型蛍光灯の発光部よりも大きく構成することができる。
【００５７】
特に、本実施例の照明装置６００は、天井面など長手方向に直列的に、またそれとは直交する方向に並列的に多数配置された蛍光灯照明器具の蛍光灯素子に置換して配置する場合に、蛍光灯素子では得ることのできない、広く連続した面発光照明を実現することができる。
【００５８】
特に、図４は本実施例の照明装置６００を器具の長手方向に直列的に多数配置された蛍光灯照明器具の蛍光灯素子に置換して配置する場合の利点を示している。
【００５９】
図４は、従来の蛍光灯（ないし蛍光灯型ＬＥＤ照明器具）と（図４（ａ））、本発明を採用した照明装置（図４（ｂ））とをそれぞれ直列に配置した状態でそれぞれ示している。
【００６０】
図４（ａ）において符号５００は、直管型蛍光灯５０１を光源素子として用いる蛍光灯照明装置で、蛍光灯照明装置５００、５００…は天井などの設置面に器具の長手方向に直列的に多数配置されている。このような蛍光灯器具の配置構造は、たとえば教育施設や駅のホームなどの施設などにおいて広く用いられている。
【００６１】
各蛍光灯照明装置５００下面の両端部にはソケット５０２、５０２が配置されており、それぞれ直管型蛍光灯５０１両端の口金部を保持するとともに直管型蛍光灯５０１に対して給電を行なう。
【００６２】
図４（ａ）の各蛍光灯照明装置５００は、その長手方向に間隔なしで直列的に配置されているが、符号５０３で示すように直管型蛍光灯５０１の発光部の長さは直管型蛍光灯５０１の両端の口金部よりも内側のみであって、図示のように蛍光灯照明装置５００、５００…を隙間なく直列的に配置しても、直管型蛍光灯５０１の発光部は断続的に配置されることになり、符号５０４、５０４…で示すように、隣接する器具の発光部（５０３）と発光部（５０３）の間にはその上部に発光部（５０３）の存在しない領域が出来てしまう。この問題は、直管型蛍光灯５０１のかわりに特許文献１ないし２に記載されるような蛍光灯型ＬＥＤ照明装置を装着した場合でも同様である。
【００６３】
一方、図４（ｂ）は図４（ａ）と同じ器具に直管型蛍光灯５０１、５０１…のかわりに本実施例の照明装置６００を装着した状態を示している。
【００６４】
本実施例の照明装置６００では、置換を目的とする直管型蛍光灯５０１の発光部に相当する部位、すなわち両端の口金部４００〜４００の中間部が占める空間よりも照明光の照射方向（各図の下方）に外れた位置に照明装置６００の発光部の実質部位（たとえば光学部材１００）を配置するよう構成されているので、蛍光灯照明装置５００のソケット５０２、５０２の間隔に制限されることなく、発光部である光学部材１００の長さを自由に決めることができる。
【００６５】
図４（ｂ）の例では、光学部材１００の長さは、照明装置６００の口金部４００、４００を超え、さらにソケット５０２、５０２の外側の間隔よりも大きく構成されており、このように光学部材１００を、少なくとも口金部４００、４００、または（あるいはさらに）これら口金部に接続されるソケット５０２、５０２の両端まで含む大きさで構成することによって、符号６０３、６０３…で示すように光学部材１００（発光部）を隣接して配置された蛍光灯照明装置５００の下部において連続して配置することができ、その上部に発光部（５０３）の存在しない領域５０４（図４（ａ））は生じない。
【００６６】
なお、より詳細には、図４（ｂ）のように隙間なく発光部（６０３）を連続配置する構成を可能とするためには、光学部材１００の長さとしては、隣接して配置された蛍光灯照明装置５００の隣り合うソケット５０２、５０２のほぼ中間位置まで伸びる長さが必要になる。
【００６７】
もし、蛍光灯照明装置５００が図４（ｂ）よりも大きな間隔で配置されていて、その場合にも発光部を連続配置したければ、光学部材１００は図４（ｂ）よりも長い全長に形成する必要があるが、本実施例においては置換を目的とする直管型蛍光灯５０１の発光部に相当する部位、すなわち両端の口金部４００〜４００の中間部が占める空間よりも照明光の照射方向（各図の下方）に外れた位置に照明装置６００の発光部の実質部位を配置するよう構成されているので、光学部材１００、あるいはさらに光源２０１を配置した回路基板２００の長さを変更することは非常に容易に行なえ、異なる種々の蛍光灯照明装置の製品、あるいは設置状況に容易に対応することができる。
【００６８】
図４では、長手方向に関する発光部の密接配置に関する作用効果につき説明したが、本実施例の照明装置６００は、置換を目的とする直管型蛍光灯５０１の発光部に相当する部位、すなわち両端の口金部４００〜４００の中間部が占める空間よりも照明光の照射方向（各図の下方）に外れた位置に照明装置６００の発光部の実質部位を配置するよう構成されているので、照明装置６００の幅方向に関しても、少なくとも置換を目的とする直管型蛍光灯５０１の発光部である管体部の幅よりも大きく、あるいはさらに照明装置６００が装着される蛍光灯器具の幅いっぱいなど、任意の幅の発光部を得られるよう光学部材１００を構成することは極めて容易であって、上述の発光部の密接配置に関する作用効果は、照明装置６００の幅方向についても期待できることはいうまでもない。
【産業上の利用可能性】
【００６９】
本発明の照明装置の構成は、照明装置に用いられる光源素子や点灯回路の細部の構造などに影響されることなく、蛍光灯照明器具のソケット対から給電を受け光源素子を点灯させる各種の照明装置において適用することができる。
【符号の説明】
【００７０】
１００  光学部材
１０１  凹部
１０６  保持部
１１１  接続金具
２００  回路基板
２０１  光源
３００  保持金具
４００  口金部
５００  蛍光灯照明装置
５０１  直管型蛍光灯
５０２  ソケット
６００  照明装置
【図１】
2013247001.tif 000003
【図２】
2013247001.tif 000004
【図３】
2013247001.tif 000005
【図４】
2013247001.tif 000006